【事件の表示】
　特願２００３−３５０８０６「移動体通信端末」拒絶査定不服審判事件〔平成１６年　３月２５日出願公開、特開２００４−　９６７７５〕について、次のとおり審決する。
【結　論】
　本件審判の請求は、成り立たない。
【理　由】
１．手続の経緯と本願発明
　本願は、平成１１年３月１７日に出願した特願平１１−７２７６０号の一部を平成１５年１０月９日に新たな特許出願としたものであって、特許請求の範囲の請求項１に係る発明（以下、「本願発明」という。）は、平成１８年２月９日付け手続補正書により補正された明細書及び図面の記載からみて、その特許請求の範囲の請求項１に記載された以下のとおりのものと認める。
　
（本願発明）
　「発信又は着信履歴を保存したメモリと、このメモリに保存された異なる情報種別の前記発信又は着信履歴の情報内容を表示させる表示器と、を備えた移動体通信端末において、
　前記メモリに保存された異なる情報種別の発信又は着信履歴リストを読み出して前記表示器の待機画面に変えて表示させ、
　前記表示された異なる情報種別の発信又は着信履歴リストの中から移行させて、所定の履歴を、第１のキーを押下するごとに順次選択して表示させ、
　前記選択して表示させた異なる情報種別の履歴の情報内容をさらに移行させて表示させるにあたり、キー操作は、異なる情報種別にかかわらず単一の第２のキー操作によって行われる、ことを特徴とする移動体通信端末。」
　
　
２．引用発明および周知技術
（１）原審の拒絶理由に引用された特開平１０−２７６２６３号公報（以下、「引用例」という。）には、図面とともに以下の事項が記載されている。
　
　イ．「【０００１】
【発明の属する技術分野】この発明は電話装置に関し、特に、不在中の伝言等を記録することのできる留守番機能付きの電話装置の改良に関するものである。
【０００２】
【従来の技術】従来、不在中に着信した音声をテープやＩＣ等に記録することが可能な留守番機能付きの電話装置が普及している。また、音声のみならず、ファクシミリ（以下、ＦＡＸ）機能も具備した留守番機能付き電話装置もある。このような電話装置は、着信した信号が音声であるかデータ（ＦＡＸ）であるかをインターフェイス部が認識を行い、音声通話に対しては応答メッセージを再生して相手のメッセージ（音声）を録音する。一方、ＦＡＸ通信に対してはＦＡＸの画像を用紙に印刷する。図３はこのような機能を有する従来の電話装置のブロック構成図であり、図において、１は電話回線等のデジタルもしくはアナログの通信回線、２は通信回線１に接続された電話装置側に設けられたインターフェイス部であり、ユーザが入力したコマンドを解析したり、通信回線１と電話装置との接続を制御する。１０は受信信号が音声であるかＦＡＸであるかを判定する検出部である。ＦＡＸの検出方法は、ＩＴＵ−Ｔ規格Ｔ．３０に規定される。検出部は１０は、前記検出方法により所定時間以内にＦＡＸが検出されなかった場合は、受信信号が音声であると判定する。インターフェイス部２をスルーして出力された受信信号はそれぞれ後段の音声処理部７，印刷部８に入力され、検出部１０の検出結果に応じて上記音声処理部７，印刷部８のいずれかが動作するようになる。また、音声については留守番モードに設定されている時には、蓄積部５に記録される。このときシステム側で、記録した音声メッセージの件数をカウントしたり、その時間等を自動的に記録する動作が行われる。
【０００３】また、上記ＦＡＸに関しては、電話装置側に具備したメモリに画像を蓄積し、ユーザの要望に応じてこれを用紙に印刷したり、液晶パネル等の表示装置に内容を表示するものがある。」（２頁１〜２欄）
　
　ロ．「【０００４】
【発明が解決しようとする課題】従来の電話装置は以上のように構成されており、不在中に着信した音声やＦＡＸを記録することができるものであったが、以下のような問題点があった。まず、留守中に着信したメッセージの件数は即座に知ることが可能であるが、受信した日時はメッセージを１件ずつ再生しないと知ることができず、また、再生も受信順番に１件ずつ行われるために、知りたいメッセージを優先的に再生することができない。
【０００５】また、ＦＡＸを受信する際には、受信したＦＡＸが基本的には全て印刷用紙に印刷されるために、無条件で用紙が使用されることになり、資源の節約ができない。また、メモリに蓄積されたイメージデータを液晶パネル等に表示した後、必要な物だけを印刷するＦＡＸでは、上記留守番電話機能と同様に、受信したデータを順番に一件ずつ再生する必要があり、必要な物だけを選択してこれを迅速に印刷することができない。
【０００６】さらに、現在普及しつつあるインターネット等のパソコン通信を利用したデータ通信には対応しておらず、電子メールやアプリケーションデータ、さらにはテレビ電話通信における留守番記録ができない。
【０００７】この発明は以上のような問題点を解消するためになされたもので、留守中に着信した音声やＦＡＸデータをユーザの希望に応じて選択した任意のものから再生することのできる電話装置を提供することを目的とする。また、音声やＦＡＸ以外のデータ通信に対応した各種の情報を記録することのできる電話装置を提供することを目的とする。」（２頁２欄〜３頁３欄）
　
　ハ．「【００１４】
【発明の実施の形態】
実施の形態１．図１は本発明の実施の形態１に係る電話装置の構成を示すブロック図であり、図１において、１は電話回線等のデジタルもしくはアナログの通信回線、２は通信回線１に接続された電話装置側に設けられたインターフェイス部であり、ユーザが入力したコマンドを解析したり、通信回線１と電話装置との接続を制御する。３はインターフェイス部２に入力された受信信号が、音声，ＦＡＸ，その他のデータのうちのどの種類のものであるかを識別する識別部、４は上記識別部３から出力される識別結果に基づいて、インターフェイス部２をスルーして出力された受信信号にその識別結果である識別情報を付加してこれを蓄積部５に出力する一方、必要に応じて蓄積部５から読み出した情報を識別情報と受信信号とに変換する処理部、６は処理部４より出力されたデータの属性（種類、受信時刻等）である識別情報を表示するための、例えば、液晶ディスプレイのような表示部、７は処理部４より出力された音声データを再生するための音声処理部、８は処理部４より出力された画像（ＦＡＸ）データを印刷するための印刷部、９は処理部４より出力されたアプリケーションデータを、図示しないパソコン等の端末に対して出力するためのデータラインである。
【００１５】次に動作について説明する。図１において、通信回線１を介して電話装置に到達した信号は、インターフェイス部２において制御され、電話装置に接続される。ついで、インターフェイス部２を経て識別部３に入力された受信信号は、ここで、その信号の種類（種別）が判定される。すなわち、受信信号が音声，ＦＡＸ，データのいずれであるかを下記の手順で判定する。
【００１６】１．受信信号がＩＴＵ−Ｔ規格Ｔ．３０に記載されたＦＡＸ接続手順を満たすか否か。ここで、ＦＡＸ接続手順を満たす場合には、受信信号がＦＡＸであると判定され、それ以外の場合は、以下の２．に進む。２．受信信号がＩＴＵ−Ｔ規格Ｖ．２５ｂｉｓに記載されたモデム接続手順を満たすか否か。ここで、モデム接続手順を満たす場合には、受信信号がモデムであると判定する。
【００１７】なお、データ通信であると判定された場合には、受信信号の中にデータの種類を表す識別情報が付加されており、識別部３は電子メールやアプリケーションによるデータなど、データの種類を合わせて識別する。
【００１８】そして、以上のようにして受信信号の種類が判別されたら、処理部４において、インターフェイス部２を通過した受信信号と上記識別部３から出力された識別情報とを対応づけたものとし、これを蓄積部５へ出力するとともに、受信信号の日時や種別，件名を表示部６に出力する。この表示部２は、図２に示すように、電話装置の表示パネル２０として設けられており、件名は、音声信号を認識してこれをテキスト形式に変換したものの先頭部分を表示し、ＦＡＸについては、用紙の先頭部分のみを適当な大きさに切り抜いたものを表示し、データについては、電子メールの場合にはそのタイトルを表示し、その他のデータについてはデータのアイコン情報等から何れのアプリケーションで作製されたものかを識別し、場合によってそのタイトル等を抽出して表示する。
【００１９】以上のようにして電話装置が留守番モードに設定されている間に受信された信号は、その種類が識別されて、例えば、時系列的に、時間，種類，内容の一部が一覧形式で表示パネル２０に表示される。
【００２０】そしてインターフェイス部２にユーザからコマンドが入力されて、上記表示パネル２０に表示されたリストの中から所定のものが選択されると、蓄積部５に記録されていた受信信号の中から相当する受信信号が読み出され、音声の場合にはスピーカ等の音声処理部７へ出力され、ＦＡＸの場合にはプリンタ等の印刷部８に出力され、さらに、アプリケーションデータであった場合には、データライン９に出力して図示しない後段のパソコン等の端末に転送する。
【００２１】このように本実施の形態１によれば、通信回線１を介して受信した受信信号の種類を識別部３で識別し、その識別結果を識別情報として出力し、該識別情報を当該受信信号と関連づけて蓄積部５に蓄積するとともに、上記識別情報を表示部６に所定の順序で整列させて一覧表示するようにしたから、受信信号を着信順とは係わりなく任意のものを優先的に再生することができるようになり、受信信号を効率よく再生することができる。また、音声やＦＡＸ以外のアプリケーションデータや電子メールについてもこれを記録することができるために、インターネット等のパソコン通信を利用したデータ通信に対応でき、さらにはテレビ電話通信における留守番記録もできる。
【００２２】なお、上記表示部６において、今後導入が予定されている、受信した発信先の相手を特定することのできる電話番号表示システムを利用して、インターフェイス部２で受信信号の発信元情報を検出して、表示部６に相手の番号を上記識別情報とともに表示するようにしてもよい。これにより、間違い電話によるメッセージ等を再生してしまうことを回避したり、特定の人からの受信信号を優先的に表示部６に並べ替えて表示することが可能となる。」（３頁４欄〜４頁５欄）
　
　ニ．【図２】には、「電話装置」の「表示パネル２０」の図示があり、最下段には上下方向の矢印が表示された２つの四角形の領域と、「再生」と表示された四角形の領域が記載されている。
　
　上記引用例の記載及び添付図面ならびにこの分野の技術常識を勘案すると、引用例記載の「電話装置」は、
　例えば上記イ．ロ．の記載によれば、「不在中の伝言等を記録することのできる留守番機能付きの電話装置」（【０００１】）、「留守中に着信した音声やＦＡＸデータをユーザの希望に応じて選択した任意のものから再生することのできる電話装置」、「音声やＦＡＸ以外のデータ通信に対応した各種の情報を記録することのできる電話装置」（【０００７】）などとあるから、音声やＦＡＸ、データなどの複数の種類の情報に対応した、いわゆる留守番機能付きの『電話装置』である。
　
　また、上記ハ．図１（【００１４】中段）によれば、引用例記載の「電話装置」は、「入力された受信信号が、音声，ＦＡＸ，その他のデータのうちのどの種類のものであるかを識別する識別部」（図１の「識別部３」）からの識別結果に基づいて、「受信信号にその識別結果である識別情報を付加してこれを蓄積」する『蓄積部』（図１の「蓄積部５」）を有してなり、
　この「識別情報」は、「入力された受信信号が、音声，ＦＡＸ，その他のデータのうちのどの種類のものであるかを識別する」識別結果に基づくものであるから、『異なる情報種別』を表すものということができる。
　
　また、同様に引用例記載の「電話装置」は、「必要に応じて蓄積部５から読み出した情報を識別情報と受信信号とに変換する処理部４」より出力された「データの属性（種類、受信時刻等）である識別情報を表示するための、例えば、液晶ディスプレイのような」『表示部』（【００１４】中段、図１の「表示部６」）をも有してなり、
　上記ハ．、図２（【００１９】）も参照すれば、「受信された信号は、その種類が識別されて、例えば、時系列的に、時間，種類，内容の一部が一覧形式で表示パネル２０に表示される」とあるから、前記「表示部６」を構成する「表示パネル２０」に表示されるものは、当分野の技術常識によれば、これを『着信履歴』と呼ぶことができるものであって、「一覧形式」とあるから『着信履歴リスト』とも呼べるものであり、
　図２には、「ＴＥＬ」、「ＦＡＸ」、「ＤＡＴＡ」などの異なる「種類」が表示されているから、『異なる情報種別の着信履歴リスト』でもあり、同様に図２には、「件名」として受信信号の情報の「内容の一部」も含まれているから、『異なる情報種別の着信履歴の情報内容の一部』も表示されるということができる。
　そして、これら『着信履歴』関連の情報は、前記『蓄積部』に蓄積され、『蓄積部』から『読み出して』前記『表示部』に表示されるものである。
　
　また、上記ハ．（【００２０】前段）によれば、引用例の「電話装置」は、「インターフェイス部２にユーザからコマンドが入力されて、上記表示パネル２０に表示されたリストの中から所定のものが選択される」とあり、前記のようにこの「表示パネル２０に表示されたリスト」とは、前記表示部に「表示された異なる情報種別の着信履歴リスト」であるので、
『前記表示された異なる情報種別の着信履歴リストの中から、所定の履歴を選択』されるものである。
　
　また、さらに上記ハ．（【００２０】後段、【００２１】中段）によれば、「表示されたリストの中から所定のものが選択されると、蓄積部５に記録されていた受信信号の中から相当する受信信号が読み出され、音声の場合にはスピーカ等の音声処理部７へ出力され、ＦＡＸの場合にはプリンタ等の印刷部８に出力され、さらに、アプリケーションデータであった場合には、データライン９に出力して図示しない後段のパソコン等の端末に転送する。」、「上記識別情報を表示部６に所定の順序で整列させて一覧表示するようにしたから、受信信号を着信順とは係わりなく任意のものを優先的に再生することができるようになり、受信信号を効率よく再生することができる。」ともあって、
選択された履歴に相当するこれらの受信信号の「出力」とは、異なる情報種別の履歴の情報内容の「再生」であるから、
『前記選択した異なる情報種別の履歴の情報内容をさらに再生させる』ものということができる。
　
　したがって、上記引用例には、以下の発明（以下、「引用発明」という。）が記載されている。
　
（引用発明）
「着信履歴を蓄積した蓄積部と、
　この蓄積部に蓄積された異なる情報種別の前記着信履歴の情報内容の一部を表示させる表示部と、
　を備えた電話装置において、
　前記蓄積部に蓄積された異なる情報種別の着信履歴リストを読み出して前記表示部に表示させ、
　前記表示された異なる情報種別の着信履歴リストの中から、所定の履歴を選択し、
　前記選択した異なる情報種別の履歴の情報内容をさらに再生させる、
　電話装置。」
　
　
（２）例えば、特開平６−２３２９６２号公報（以下、「周知例１」という。）には図面とともに以下の事項が記載されており、
また、例えば、特開平８−１４０１４６号公報（以下、「周知例２」という。）には図面とともに以下の事項が記載されている。
　
（周知例１）
　イ．「【００１６】会議中等の電話応答が不可能な状態であれば、予めキー入力部７のモード切り替えキー７１により着信拒否モードに切り替える。これにより送受信アンテナ１０、無線部２を介して着信があっても制御部４が着信を拒否（無視）する。着信時には制御部４のモード判断部４４がモードを判断し着信拒否モードであると判断すれば、録音・再生部５から録音・再生部５に予め記録しておいた応答メッセージを自動的に送出する。この後、相手のメッセージ等の音声情報を録音・再生部５で記録する。また、着信時に前記着信拒否モードを設定した場合でも、制御部４のモード判断部４４はこれを判断して前記同様に応答メッセージを自動的に送出し、相手のメッセージ等の音声情報を録音・再生部５で記録する。また、制御部４のモード判断部４４は電話番号情報記録部４２を有しており、移動通信端末装置１がＩＳＤＮ回線で用いられている場合には前記ＩＳＤＮ機能により送られてくる相手の発信番号（発信側の電話番号）を電話番号情報受信部４２で受信して自動的に電話番号情報記録部４２に記録する。移動通信端末装置１がアナログ回線で用いられている場合には録音・再生部５から発信者に対し、電話番号をダイヤルするように促すメッセージを流し、発信者がダイヤルした番号を電話番号情報受信部４１で受信し制御部４で、この受信した番号を解読し、この解読した番号を発信側の電話番号として電話番号情報記録部４２に記録する。この電話番号情報はキー入力部７のメッセージキー７４の操作により表示部６に表示することができ、移動通信端末装置１の利用者は表示部６に表示されている番号をキー入力部７の選択キー７２により選択し、キー入力部７の発信キー７３を押すことにより、制御部４の電話番号情報を利用した発信部４３が動作して選択した前記電話番号に発信することができる。また、この表示部７に表示する発信者の電話番号と録音・再生部５に記録するメッセージは連動しており、表示部６で電話番号を選択した後、メッセージキー７４を押すとその電話番号から発信した人が入力したメッセージを録音・再生部５から自動的に呼出し、聞くことができる。図３は、着信時の動作フローチャートである。」（３頁３〜４欄）
　
　ロ．「【００２０】図５はメッセージ再生時の動作フローチャートである。
【００２１】まず、選択ボタン７２の上下どちらかを押し（ステップ５１）、制御部４の電話番号情報記録部４２に記録してある電話番号を表示部６に表示させる（ステップ５２）。続けて選択ボタン７２を押していき、希望の電話番号を選択する（ステップ５３）。次にメッセージキー７４を押す（ステップ５４）と選択した電話番号の発信者に該当するメッセージが録音・再生部５により再生される（ステップ５５）。」（３頁４欄〜４頁５欄）
　
（周知例２）
　イ．「【０００１】
【産業上の利用分野】本発明は着信があった場合、受信信号中に呼出側の電話番号に係る信号があったときは、この信号より呼出側の電話番号を検出するタイプの携帯電話装置に係り、特に自動選択応答に好適なものに関する。
【０００２】
【従来の技術】近年、携帯電話装置は、便利な移動体通信装置として、広く利用されるに至っている。（・・・以下略・・・）」（２頁１欄）
　
　ロ．「【００４０】（ヘ）自動応答時の受信メッセージを確認する際の動作
自動応答時に受信メッセージ部ＲＭに記憶した受信メッセージを確認するときには、前記受信メッセージ確認キーＳＷ５を操作する。これを受けて、図４のステップＳ３，Ｓ４を経てステップＳ５即ち図７の受信メッセージ確認処理に進む。そしてステップＳ８０で番号レジスタＢに呼出番号１をセットし次のステップＳ８１で呼出番号１の受信メッセージが受信メッセージ部ＲＭに記憶されているかを判断し、記憶されていないときはこの受信メッセージ確認処理を終えるが、記憶されているときはステップＳ８２に進む。ステップＳ８２では番号レジスタＢで指定されている呼出番号１と、受信メッセージ部ＲＭにおいて呼出番号１が記憶されている行の電話番号エリアＡＡに記憶されている相手側の電話番号とを表示部２に表示し、次のステップＳ８３では上記呼出番号１の受信メッセージ（受信メッセージ部ＲＭにおいて、呼出番号１が記憶されている行の受信メッセージ内容エリアＪＡに記憶されている受信メッセージ）を音声信号発生部８に与え、スピーカー７よりこの受信メッセージを音声で出力させる。続くステップＳ８４では、一定時間経過前にスクロールキーＳＷ７の操作があったかを判断し、なかったときはこの受信メッセージ確認処理を終えて図４のステップＳ１に戻るが、上記操作があったときは、番号レジスタＢの呼出番号を次のもの（この場合は呼出番号２）にしてステップＳ８１に戻り、以下、上記同様の処理を繰返す。これにより、受信メッセージ部ＲＭに記憶した各回の受信データは、表示部２での表示およびスピーカー７による音声出力で、順次、確認できることになる。」（８頁１４欄〜９頁１５欄）
　
　例えば上記周知例１、２に開示されているように、
「着信リストの表示機能を備えた移動体通信端末」及び、
「画面サイズが小さい端末では、複数の情報を表示するとき、スクロール指令に基づき、その都度、記憶手段に記憶されている例えば一件分の情報を記憶手段から読み出して表示部に順次的に表示すること」は周知である。
　
（３）例えば、特開平７−２４０８００号公報（以下、「周知例３」という。）には図面とともに以下の事項が記載されており、
また、例えば、特開平７−１０７２０３号公報（以下、「周知例４」という。）には図面とともに以下の事項が記載されている。
　
（周知例３）
　イ．「【００３０】留守録の設定方法は、通常ダイアルモードにおける画面モード３１の留守録ボタン３１ｂ−１を押すことにより設定され、用件が録音された際には、画面モード８１に設定された液晶表示装置５の状態に自動的に切り替わるため、帰宅後用件を再生する際には画面モード８１のままであるが、改めて留守録を再生するには図３（ａ）の画面モード３１の留守録再生ボタン３１ｂ−２押すと、画面モード８１に液晶表示装置５が切り替わる。用件を再生する際、図８の画面モード８１に設定された液晶表示装置５に表示されている用件を、必要に応じてスクロールキー８１ｂでスクロールさせ聞きたい用件を設定し、スタイラス・ペン４または指で用件を選んだ後スタートキー８１ｃで再生が始まり、再生をストップさせたいときはストップキー８１ｄで止まる。また、再生後不要になった用件は、スタイラス・ペン４または指で用件を選んだ後削除キー８１ｅで削除できる。」（５頁８欄〜６頁９欄）
　
（周知例４）
　イ．「【００２５】ここで、否定判定されたときはステップＳ４に進み、初期画面状態で過去の発信一欄を見るならダイヤルキー１１で０＃番号＊、または過去の着信一欄を見るなら１＃番号＊と入力し、決定キー８１を押す。また、肯定判定されたときは、ステップＳ５に移行して、発信一欄ならばダイヤルキー１１で０＃番号＊、または着信一欄ならば１＃番号＊．０４５＊と入力し、決定キー８１を押す。
【００２６】（・・・中略・・・）
【００２７】決定キー８１が押されると、表示部１０の画面には、図５に示す表示例の如く番号と、その時の時間の一欄が表示される（ステップＳ６）。このときの画面は、スクロールキー８２または８３を操作することによりスクロールされる。」（３頁３〜４欄）
　
　上記周知例３の「図３（ａ）の画面モード３１」や周知例４の「初期画面」はいわゆる「待機画面」である。
　したがって、例えば上記周知例３、４に開示されているように「着信リストを表示器の待機画面に変えて表示させること」は周知である。
　
　
３．対比
　本願発明と引用発明とを対比すると、
　まず、本願発明の「移動体通信端末」と、引用発明の「電話装置」は、いずれも「通信装置」であるという点で一致する。
　また、本願発明の「発信又は着信履歴」という構成は「着信履歴」のみの場合を含むから、本願発明の当該構成と引用発明の「着信履歴」は、いずれも「着信履歴」である点で一致し、かつ両者の間に実質的な差異はない。
　
　また、本願発明の「メモリ」は、情報を保存（蓄積）するものであるから、引用発明の「蓄積部」に対応し、
　本願発明の「表示器」は、引用発明の「表示部」に対応し、表示されるのが「情報内容の一部」である点を除き、「メモリに保存された異なる情報種別の着信履歴の情報内容を表示させる」点で一致する。
　
　また、本願発明の「前記メモリに保存された異なる情報種別の発信又は着信履歴リストを読み出して前記表示器の待機画面に変えて表示させ」という構成と、引用発明の「前記蓄積部に蓄積された異なる情報種別の着信履歴リストを読み出して前記表示部に表示させ」という構成は、引用発明には「待機画面に変えて」表示する点がなく、この点を除き、「前記メモリに保存された異なる情報種別の着信履歴リストを読み出して前記表示器に表示させ」る点で一致する。
　また、本願発明の「前記表示された異なる情報種別の発信又は着信履歴リストの中から移行させて、所定の履歴を、第１のキーを押下するごとに順次選択して表示させ」という構成と、
引用発明の「前記表示された異なる情報種別の着信履歴リストの中から、所定の履歴を選択し」という構成は、
引用発明には「着信履歴リストの中から移行させ」て「表示する」点、および「第１のキーを押下するごとに順次」選択する点がないのを除き、「前記表示された異なる情報種別の着信履歴リストの中から、所定の履歴を選択」する点において一致する。
　また、本願発明の「前記選択して表示させた異なる情報種別の履歴の情報内容をさらに移行させて表示させるにあたり、キー操作は、異なる情報種別にかかわらず単一の第２のキー操作によって行われる」という構成と、
引用発明の「前記選択した異なる情報種別の履歴の情報内容をさらに再生させる」という構成は、
引用発明に選択して「表示させ」る点、「キー操作は、異なる情報種別にかかわらず単一の第２のキー操作によって行われる」点が無く、
引用発明は「再生させる」のに対し、本願発明は「移行させて表示させる」点で相違するが、「再生」と「表示」は「出力」である点で共通するので、「前記選択した異なる情報種別の履歴の情報内容をさらに出力」する点において一致する。
　
　したがって、本願発明と引用発明は以下の点で一致し、また、相違している。
　
＜一致点＞
　「着信履歴を保存したメモリと、このメモリに保存された異なる情報種別の前記着信履歴の情報内容を表示させる表示器と、を備えた通信装置において、
　前記メモリに保存された異なる情報種別の着信履歴リストを読み出して前記表示器に表示させ、
　前記表示された異なる情報種別の着信履歴リストの中から、所定の履歴を選択し、
　前記選択した異なる情報種別の履歴の情報内容をさらに出力する、通信装置。」
　
＜相違点＞
（１）「通信装置」に関し、本願発明は、「移動体通信端末」であるのに対し、引用発明は「電話装置」である点。
（２）「表示器」の表示内容に関し、本願発明は、「着信履歴の情報内容」を表示するのに対し、引用発明は「着信履歴の情報内容の一部」を表示する点。
（３）「表示器」の画面表示の変化、移行に関し、本願発明は、まず着信履歴リストを読み出して「待機画面に変えて」表示し、「着信履歴リストの中から移行させて、所定の履歴を」選択して表示し、選択された「履歴の情報内容をさらに移行させて」表示するのに対し、引用発明にはこれらの点がない点。
（４）「前記選択した異なる情報種別の履歴の情報内容をさらに出力」する点に関し、本願発明は「表示させる」のに対し、引用発明は「再生させる」点
（５）着信履歴リストの中からの「選択」操作方法に関し、本願発明は「第１のキーを押下するごとに順次」選択するのに対し、引用発明はこれがない点。
（６）選択した履歴の情報内容の「出力」を指示する操作方法に関し、本願発明は「キー操作は、異なる情報種別にかかわらず単一の第２のキー操作によって行われる」のに対し、引用発明はこれがない点。
　
　
４．当審の判断
　そこで、まず、上記相違点（１）の「通信装置」について検討するに、
例えば上記周知例１、２に開示されているように「着信リストの表示機能を備えた移動体通信端末」は周知であり、当該周知技術に基づいて、引用発明の「電話装置」を本願発明のような「移動体通信端末」とする程度のことは、当業者であれば適宜なし得ることである。
　
　ついで、上記相違点（２）、（３）の「表示器」の表示内容、および画面表示の変化、移行に関し検討するに、
　一般に情報を表示する画面のような「表示器」を有する機器において、画面のサイズと表示する全体の情報量に応じて、表示する情報の内容を全体の一部としたり、複数の画面に分割して順次画面を変化、移行させて表示したり、リスト中において選択された項目が例えば反転表示されるようなことは周知の慣用手段に過ぎず、
　例えば上記周知例１、２に開示されているように、「画面サイズが小さい端末では、複数の情報を表示するとき、スクロール指令に基づき、その都度、記憶手段に記憶されている例えば一件分の情報を記憶手段から読み出して表示部に順次的に表示すること」は周知であり、
　また例えば上記周知例３、４に開示されているように、「着信リストを表示器の待機画面に変えて表示させること」も周知であるところ、
これらの周知技術を引用発明に適用する上での阻害要因は何ら見あたらないから、
　引用発明における「着信履歴の情報内容の一部」の表示を「着信履歴の情報内容」全体の表示としたり、まず着信履歴リストを読み出して「待機画面に変えて」表示し、「着信履歴リストの中から移行させて、所定の履歴を」選択して表示し、選択された「履歴の情報内容をさらに移行させて」表示するという構成に変更する程度のことも当業者であれば適宜なし得ることである。
　
　ついで、上記相違点（４）の情報内容「出力」に関し検討するに、
一般に情報の「出力」に際しては、その情報種別に応じた種々の媒体が可能なことは、引用例にも記載があること（引用例の上記ハ．【００２０】後段参照）であるが、逆にまた引用例の「表示パネル２０」のような表示部がある機器であれば、音声、ＦＡＸ、データのような異なる情報種別の情報を種々のやり方でこの「表示部」に「表示」できることもまた引用例に記載のあること（引用例の上記ハ．【００１８】後段参照）であるから、「表示」と「再生」という情報内容「出力」に関する相違点（４）は格別のものではない。
　
　ついで、上記相違点（５）、（６）の「第１のキー」、「第２のキー」の操作方法に関し検討するに、
　一般に、例えばワープロソフトなどにおいてファイルを開く際のキー操作にも見られるように、複数の情報項目からなるリストから、矢印で象徴されるカーソルキー、スクロールキーなどの「第１のキー」の操作により対象項目（ファイル）を選択し、「Ｅｎｔｅｒキー」のような「第２のキー」によって選択された項目に関する操作（ファイルを開く）を実行するのは、周知のキー操作方法であるところ、
　上記周知例１〜４にも、同様の操作を可能とするキーやボタン（周知例１の「選択ボタン７２」と「メッセージキー７４」、周知例３図８の「スクロールキー８１ｂ」と「スタートキー８１ｃ」、周知例４図２の「スクロールキー８２，８３」と「決定キー８１」）が記載されており、
　更に、引用例の上記ニ．【図２】の最下段には、上下方向の矢印が表示された２つの四角形の領域と、「再生」と表示された四角形の領域が記載されていて、
　これらを勘案すれば、引用発明において「第１のキー」を設け着信履歴リストの中からの「選択」を可能とし、さらに「第２のキー」を設けて選択された履歴の情報内容の「表示」を異なる情報種別にかかわらず単一のキー操作で可能とすることは、当業者であれば容易になし得た程度のことと認められるので、相違点（５）、（６）も格別のことではない。
　
　
５．むすび
　以上のとおり、本願発明は、引用発明および周知技術に基づいて当業者が容易に発明をすることができたものと認められるから、特許法第２９条第２項の規定により特許を受けることができない。
　
　よって、上記結論のとおり審決する。